(57)【要約】      （修正有）【課題】赤外線検知センサによる検知性能を向上できるとともに、外観を向上できる表示装置を提供する。【解決手段】表示面を有する表示パネルと、表示パネルの少なくとも一方端に設けられた赤外線発光素子６ａと赤外線受光素子６ｂからなる赤外線検知センサと、表示面および赤外線検知センサを覆う透明部材１と、透明部材１の赤外線検知センサ側に配置された第１遮光層９ａと、第１遮光層９ａよりも可視光透過率が低く、第１遮光層９ａの赤外線検知センサ側に設けられた第２遮光層９ｂと、を有するとともに、第２遮光層９ｂは、赤外線検知センサの赤外線が通過する赤外線通過窓９ｂ１を有している。【選択図】図３
2017167203.tif 000002
【特許請求の範囲】
【請求項１】
表示面を有する表示パネルと
該表示パネルの少なくとも一方端に設けられた赤外線検知センサと、
前記表示面および前記赤外線検知センサを覆う透明部材と、
前記透明部材の前記赤外線検知センサ側に配置された第１遮光層と、
該第１遮光層よりも可視光透過率が低く、前記第１遮光層の前記赤外線検知センサ側に設けられた第２遮光層と、を有するとともに、
前記第２遮光層は、前記赤外線検知センサの赤外線が通過する赤外線通過窓を有していることを特徴とする表示装置。
【請求項２】
前記第２遮光層の厚みは、前記赤外線通過窓に向けて次第に薄くなっていることを特徴とする請求項１に記載の表示装置。
【請求項３】
前記赤外線検知センサは、赤外線発光素子および赤外線受光素子を所定間隔をおいて有しており、前記第２遮光層は、前記赤外線発光素子から外部への赤外線放射方向および前記赤外線受光素子への赤外線受光方向にそれぞれ前記赤外線通過窓を有することを特徴とする請求項１または２に記載の表示装置。
【請求項４】
前記透明部材の前記第１遮光層および前記第２遮光層は同じ位置に開口部を有しており、該開口部は前記表示パネルの表示領域を包含していることを特徴とする請求項１乃至３のうちのいずれかに記載の表示装置。
【請求項５】
前記第２遮光層は、第１遮光層の縁よりも内側に配置されていることを特徴とする請求項１乃至４のうちのいずれかに記載の表示装置。
【請求項６】
前記表示パネルは、前記赤外線通過窓を通過する赤外線を遮らない位置に配置されていることを特徴とする請求項１乃至５のうちのいずれかに記載の表示装置。
【発明の詳細な説明】
【技術分野】
【０００１】
本発明は、表示装置に関する。
【背景技術】
【０００２】
従来、例えば自動車のナビゲーションシステム、タブレット端末、スマートフォン等に用いられる液晶表示装置（Liquid  Crystal  Display：ＬＣＤ）においては、ＬＣＤに備えられたタッチパネル等を操作するために人の指が表示画面に近接したときに、画面表示を起動させる、または表示面にアイコン、タッチボタン等の隠れた表示部を表示させる、あるいは静止画表示を動画表示に切り替えるといった表示駆動をするための近接センサを設ける場合がある。
【０００３】
この近接センサとしては赤外線検知センサが知られており、従来、赤外線検知センサを具備する表示装置が知られている（特許文献１）。この特許文献１の表示装置は、赤外線検知センサが両端に設けられた表示パネルと、表示パネルおよび赤外線検知センサを覆う透明部材と、表示パネルを嵌め込むための開口を有する枠体と、表示パネルの反表示面の側に設けられた保護部材と、を有している。
【０００４】
この特許文献１には、透明部材の赤外線検知センサを覆っている部位は、内部が視認されないように、赤外線を通すが可視光は通さない遮光層を設けることが記載されている。
【先行技術文献】
【特許文献】
【０００５】
【特許文献１】特開２０１５−１７９０５４号公報
【発明の概要】
【発明が解決しようとする課題】
【０００６】
特許文献１の表示装置では、透明部材の赤外線検知センサを覆っている部位は、内部が視認されないように、赤外線を通すが可視光は通し難い遮光層が設けられているが、遮光層の赤外線の透過率を上げると、赤外線検知センサによる検知性能向上を向上できる一方で、遮光層の遮光性能が低下し、外部から赤外線検知センサが視認されやすくなり、外観が悪化するという問題があった。
【０００７】
本発明は、赤外線検知センサによる検知性能を向上できるとともに、外観を向上できる表示装置を提供するものである。
【課題を解決するための手段】
【０００８】
本発明の表示装置は、表示面を有する表示パネルと、該表示パネルの少なくとも一方端に設けられた赤外線検知センサと、前記表示面および前記赤外線検知センサを覆う透明部材と、前記透明部材の前記赤外線検知センサ側に配置された第１遮光層と、該第１遮光層よりも可視光透過率が低く、前記第１遮光層の前記赤外線検知センサ側に設けられた第２遮光層と、を有するとともに、前記第２遮光層は、前記赤外線検知センサの赤外線が通過する赤外線通過窓を有していることを特徴とする。
【発明の効果】
【０００９】
本発明の表示装置では、赤外線検知センサによる検知性能を向上できる。
【図面の簡単な説明】
【００１０】
【図１】表示装置としての液晶表示装置の実施形態を示すもので、液晶表示装置の主要部品を分解して示す平面図である。
【図２】図１に示す主要部品を組み立てて構成された液晶表示装置を示すもので、（ａ）は縦断面図、（ｂ）は平面図である。
【図３】（ａ）は透明部材を表示パネル側から見た（（ｂ）の３Ａ−３Ａ線から見た）平面図であり、（ｂ）は、赤外線検知センサおよびその近傍を示す説明図、（ｃ）は、第２遮光層の厚みが、赤外線通過窓９ｂ１に向けて次第に薄くなっている状態を示す説明図である。
【図４】本実施形態の効果を説明するもので、（ａ）は第２遮光層がない場合の説明図、（ｂ）は第２遮光層を有する場合の説明図である。
【図５】表示装置の他の実施形態を示すもので、表示領域と遮光層との関係を示す説明図である。
【図６】表示装置のさらに他の実施形態を示すもので、（ａ）は第１遮光層上における第２遮光層の形成位置を説明するための説明図、（ｂ）は透明部材を表示パネル側から見た平面図である。
【図７】表示装置のさらに他の実施形態を示すもので、赤外線の通過領域と表示パネルの配置位置との関係を示す説明図である。
【発明を実施するための形態】
【００１１】
以下、表示装置の実施形態について、図面を参照しながら説明する。但し、以下で参照する各図は、表示装置を説明するための主要部を示している。従って、表示装置は、図に示されていない回路基板、配線導体、制御ＩＣ，ＬＳＩ等の周知の構成部材を備えていてもよい。
【００１２】
表示装置としての液晶表示装置（ＬＣＤ）は、図１および図２に示すように、ガラス板等から成る透明部材１と、透明部材１により表示面２ａが覆われる液晶表示パネル２と、液晶表示パネル２を嵌め込むための開口３ａを有するプラスチック等から成る枠体３と、液晶表示パネル２の表示面２ａと反対側に設置された平板状のバックライト４と、バックライト４の液晶表示パネル２と反対側に設置されたプラスチック等から成る保護部材５とを有している。
【００１３】
そして、図２に示すように、液晶表示パネル２の左右両端には、表示面２ａに近接する人の指等の被検知体９を検知する赤外線検知センサ６が設けられている。
【００１４】
この赤外線検知センサ６は、２個の赤外線発光素子６ａと、１個の赤外線受光素子６ｂとを備えており、赤外線発光素子６ａおよび赤外線受光素子６ｂは、表示面２ａの中心部の法線ｈ方向に向くように傾けて設置されている。表示面２ａの中心部は、表示面２ａの厳密な中心に限るものではなく、表示面２ａの上下方向に伸びる中心線であり、それを含む表示面２ａの垂面の方に向かって赤外線検知センサ６が傾いていてもよい。この構成により、液晶表示パネル２の表示面２ａ（透明部材１）に近接した人の手等の被検知体９を、良好に検知することができる。
【００１５】
また赤外線検知センサ６は、例えば、液晶表示パネル２の表示面２ａと反対側の面の端部に取り付けられた張出部材８に、接着剤による接着、ネジ止め等の手段により設置されている。張出部材８は、液晶表示パネル２の反表示面２ｂに透明接着剤、高透明性接着剤転写テープ（Optically  Clear  Adhesive  Tape：ＯＣＡ）等の両面接着テープなどによって取り付けられる。また張出部材８は、プラスチック、アルミニウム（Ａｌ），銅（Ｃｕ），ステンレススチール，真鍮（Ｃｕ−Ｚｎ合金）等の金属及び合金、アルミナセラミック等のセラミックなどの材料から成る。また、張出部材８は、例えば、液晶表示パネル２の反表示面２ｂから張り出している部位が表示面２ａの中心部に向かって傾斜しており
、その部位に赤外線検知センサ６が設置されている。なお、図２において、符号７はバックライト４の液晶表示パネル２と反対側の主面に設けられたアルミニウム（Ａｌ）等から成る導体板である。
【００１６】
赤外線発光素子６ａと赤外線受光素子６ｂとの間には、図２（ｂ）および図３（ｂ）に示すように、隔壁１１が設けられている。この場合、赤外線発光素子６ａから放射された赤外線が赤外線受光素子６ｂに直接的に受光されることを抑えることができる。隔壁１１は、プラスチック、アルミニウム（Ａｌ），銅（Ｃｕ），ステンレススチール，真鍮（Ｃｕ−Ｚｎ合金）等の金属および合金、アルミナセラミック等のセラミックなどの材料から成る。また隔壁１１は、赤外線発光素子６ａおよび赤外線受光素子６ｂが搭載される回路基板等の基板上に、接着、ネジ止め等の手段によって設けられる。なお、基板は、配線導体、制御用ＩＣ，ＬＳＩ等の周知の電子部品を備えていてもよい。この基板は、張出部材８に配置されている。
【００１７】
赤外線発光素子６ａから放射された赤外線のうち赤外線受光素子６ｂ方向に低い角度で放射された成分は、図３（ｂ）に示すように、隔壁１１によって遮光されるために、赤外線受光素子６ｂに直接的に受光されることが効果的に抑えられる。なお、図３（ｂ）は、図２（ｂ）の３Ｂ−３Ｂ線に沿った断面図である。
【００１８】
そして、赤外線検知センサ６は、透明部材１によって覆われているが、透明部材１の赤外線検知センサ６を覆っている部位には遮光層９が設けられている。
【００１９】
この遮光層９は、図３に示すように、透明部材１の赤外線検知センサ６側に配置された第１遮光層９ａと、この第１遮光層９ａよりも可視光透過率が低く、第１遮光層９ａの赤外線検知センサ６側に設けられた第２遮光層９ｂとを有している。なお、図３（ａ）は、図３（ｂ）の３Ａ−３Ａ線から見た平面図であり、透明部材１の裏面側を示している。
【００２０】
図３では、遮光層９は、透明部材１の外周部に環状に設けられており、遮光層９内には、液晶表示パネル２の表示部２ａが位置している。また、第１遮光層９ａは、透明部材１の外周部に環状に設けられており、第２遮光層９ｂは、開口部９ｂ１を除いて、第１遮光層９ａ上に設けられている。
【００２１】
第２遮光層９ｂには、赤外線検知センサ６の赤外線発光素子６ａ及び赤外線受光素子６ｂの赤外線が通過する開口部が３カ所設けられており、これらの開口部が、赤外線通過窓９ｂ１とされている。
【００２２】
すなわち、赤外線検知センサ６は、２個の赤外線発光素子６ａと、これらの２個の赤外線発光素子６ａの間に配置された赤外線受光素子６ｂとを、所定間隔をおいて有しており、第２遮光層９ｂは、２個の赤外線発光素子６ａから外部への赤外線放射方向および赤外線受光素子６ｂへの赤外線受光方向に、それぞれ赤外線通過窓９ｂ１を有している。
【００２３】
この赤外線通過窓９ｂ１には、可視光を通し難い第１遮光層９ａが露出している。第１遮光層９ａは、前述したように、赤外線が通過しやすいため、赤外線通過窓９ｂ１を介して、赤外線発光素子６ａおよび赤外線受光素子６ｂと透明部材１の外部との間で、赤外線の発光受光を良好に行うことができる。前述した隔壁１１は、赤外線発光素子６ａと赤外線受光素子６ｂとの間から、それぞれの赤外線通過窓６ｂ１間に向けて延びている。
【００２４】
第２遮光層９ｂは、可視光透過率が低い材料で構成されている。赤外線を通過させるものであっても良い。第２遮光層９ｂは、黒色、黒褐色、濃褐色、濃青色、濃紫色等の可視光を効率良く吸収する色合いのものがよい。例えば、帝国インキ製ＧＬＳ−ＨＦ９７墨で
ある。第１遮光層９ａは、第２遮光層９ｂよりも赤外線が通過し易いもので、例えば、帝国インキ製ＩＲＸ−００１ビクトリアである。第１遮光層９ａおよび第２遮光層９ｂは、スクリーン印刷法により形成できる。なお、透明部材１の表示面２ａの表示領域に対応する部位は、可視光を通すために遮光層が形成されていない。
【００２５】
透明部材の赤外線検知センサを覆っている部位は、通常、内部が視認されないように、赤外線を通すが可視光は通しにくい遮光層が設けられているが、遮光層の赤外線の透過率を上げると、赤外線検知センサによる検知性能を向上できる一方で、遮光層の遮光性能が低下し、外部から赤外線検知センサが視認されやすくなり、外観が悪化する傾向にある。
【００２６】
本実施形態では、赤外線検知センサからの赤外線は、第２遮光層９ｂの赤外線通過窓９ｂ１内を通過し、赤外線透過率（可視光透過率）が高い第１遮光層９ａを通過して外部に放射され、または、外部からの赤外線が、赤外線透過率が高い第１遮光層９ａを通過し、第２遮光層９ｂの赤外線通過窓９ｂ１内を通過し、赤外線受光素子６ｂで検知されることになり、赤外線検知センサ６による検知性能を向上できる。
【００２７】
また、赤外線検知センサ６が受発光する部分に第２遮光層９ｂの赤外線通過窓９ｂ１を設けることで、赤外線通過窓９ｂ１以外の部分を第１遮光層９ａおよび第２遮光層９ｂで可視光を効率良く遮光することができ、表示部２ａ以外の内部が外部から視認されにくくでき、外観を向上できる。
【００２８】
さらに、外部から可視光透過率が高い第１遮光層９ａ、この第１遮光層９ａの検知センサ６側に、第１遮光層９ａよりも可視光透過率が低い第２遮光層９ｂを設けるため、第２遮光層９ｂの赤外線通過窓９ｂ１の存在が外部から視認されにくくなり、外観を向上できる。
【００２９】
また、図４（ａ）に示すように、１層の遮光層９を形成した場合には、遮光層９を通過した赤外線が、遮光層９と透明部材１との界面で反射する、波線で示すような迷光により誤動作するおそれがあったが、本実施形態では、赤外線光源側に透過率の低い第２遮光層９ｂを配置することにより、図４（ｂ）に示すように、遮光層９（９ａ）中における迷光を低減でき、誤動作を低減できる。
【００３０】
また、バックライト４からの光が、赤外線通過窓９ｂ１に照射されないように、図２に示すように、張出部材８の位置が調整され、遮蔽板となっていることが望ましい。これにより、第２遮光層９ｂの赤外線通過窓９ｂ１の存在がさらに外部から視認されにくくなり、外観を向上できる。
【００３１】
さらに、図３（ｃ）では、第２遮光層９ｂの厚みが、赤外線通過窓９ｂ１に向けて次第に薄くなっている。すなわち、第２遮光層９ｂの赤外線通過窓９ｂ１近傍以外の厚みはほぼ一定であるが、第２遮光層９ｂの赤外線通過窓９ｂ１近傍の厚みが、赤外線通過窓９ｂ１に向けて次第に薄くなっている。このような表示装置では、可視光透過量が、赤外線通過窓９ｂ１に向けて次第に多くなっているため、赤外線通過窓９ｂ１の存在を外部から視認され難くすることができる。
【００３２】
表示装置の主な部材について説明する。本実施形態のＬＣＤにおける赤外線発光素子６ａは、光波長が７００〜１０００ｎｍ程度の赤外線、より具体的には光波長が８５０〜９５０ｎｍ程度の赤外線を放射するものである。また、赤外線検知センサは、液晶表示パネル２の表示面２ａに人の指等が数１０ｃｍ程度以下の距離に近接した場合、例えば、画面表示を起動させる、表示面２ａにアイコン、タッチボタン、インジケータ等の隠れた表示部を表示させる、あるいは静止画表示を動画表示に切り替えるといった表示駆動をするた
めの起動スイッチ等として用いられる。
【００３３】
本実施形態のＬＣＤは以下のようにして作製される。薄膜トランジスタ（Thin  Film  Transistor：ＴＦＴ）素子を含む画素電極部が多数形成されたガラス基板等から成るアレイ側基板と、カラーフィルタおよびブラックマトリクスが形成されたガラス基板等から成るカラーフィルタ側基板とを互いに対向させて、それらの基板を所定の間隔でもって貼り合わせ、それらの基板間に液晶を充填、封入させることによって作製される。
【００３４】
また、一般的に、カラーフィルタ側基板は、ＴＦＴ素子および画素電極に対向する側の主面の全面に、画素電極との間で液晶に印加する垂直電界を形成するための共通電極(基
準電極)が形成されている。この共通電極は、ＩＰＳ（In-Plane  Switching）方式のＬＣＤの場合、アレイ側基板の画素電極部に画素電極と同じ面内に形成されることによって横電界を生じさせるものとなる。また共通電極は、ＦＦＳ（Fringe  Field  Switching）方式のＬＣＤの場合、アレイ側基板の画素電極部に画素電極の上方または下方に絶縁層を挟んで形成されることによって端部電界（Fringe  Field）を生じさせるものとなる。
【００３５】
また、カラーフィルタ側基板の主面には、それぞれの画素に対応する赤（Ｒ）、緑（Ｇ）、青（Ｂ）のカラーフィルタが形成されており、それぞれの画素を通過する光が相互に干渉することを防ぐブラックマトリクスがカラーフィルタの外周を囲むように形成されている。
【００３６】
本実施形態のＬＣＤは、透過型ＬＣＤである場合、視認者側と反対側に、液晶表示パネル２に画像を形成するための透過光を、液晶表示パネル２の反表示面２ｂ側から入射するバックライト４が設けられている。また本実施形態のＬＣＤは、反射型ＬＣＤである場合、バックライト４は設けられていなくてもよい。このバックライト４には２つの方式がある。１つの方式は、発光素子としてのＬＥＤ（Light  Emitting  Diode）素子が液晶表示パネル２の画面の端に配置されているエッジライト方式である。このエッジライト方式においては、液晶表示パネル１の画面の端に配置されたＬＥＤ素子からの光を導光板によって画面全体に導いて均一に分散させる。エッジライト方式は、最大６０インチ程度までの画面において良好な光学的均一性を保持することができ、５〜１０ｍｍ程度の厚さのバックライト４が実現できる。
【００３７】
もう１つの方式は、直下型方式であり、液晶の画素の直下に多数のＬＥＤ素子を配置して、ＬＥＤ素子からの光を画素に直接入射させる方式である。この直下型方式は、それが適用される液晶表示パネル２の画面サイズに制限はなく、低消費電力、良好な熱放散性を有している。また、直下型方式は、エッジライト方式に比べてバックライト装置が厚くなる傾向があるが、１０ｍｍ程度以下の厚さに抑えることもできる。なお、ＬＥＤ素子の発光の駆動方法としては、一般にＰＷＭ（Pulse  Width  Modulation）方式によってパルス電流をＬＥＤ素子に入力する駆動方法が用いられる。
【００３８】
バックライト４は、アルミニウム等から成る金属枠体２４ａに嵌めこまれている。金属枠体４ａはフレーム３に嵌め込み、ネジ止め等の手段で固定され、保護部材５は枠体３にネジ止め等の手段で固定される。
【００３９】
図５は、表示装置の他の実施形態を示すもので、この実施形態では、透明部材１に設けられた第１遮光層９ａおよび第２遮光層９ｂは同じ位置に開口部を有し、該開口部は表示パネル１２の表示領域Ｇを包含しており、第１遮光層９ａおよび第２遮光層９ｂは、表示領域Ｇの外側に位置している。
【００４０】
言い換えれば、第１遮光層９ａおよび第２遮光層９ｂはそれぞれ開口部を有しており、
平面視したときに、第１遮光層９ａおよび第２遮光層９ｂの開口部が重畳した部分の内側に、表示パネル１２の表示領域Ｇが位置している。
【００４１】
このような実施形態では、各部材の寸法ズレまたは組み立て時のズレが生じたとしても、表示領域１２ａが遮光層９に遮られることなく、表示領域Ｇの全面にわたって意図通りの表示を行うことができる。
【００４２】
なお、図５、およびこれ以降の図では、図の簡略化のため、表示パネルとバックライトを一つの表示パネル１２として記載している。
【００４３】
図６は、表示装置のさらに他の実施形態を示すもので、この形態では、第２遮光層９ｂは、第１遮光層９ａの縁よりも内側に形成されている。
【００４４】
すなわち、第１遮光層９ａは、透明部材１に環状に形成されており、外周縁９ａ１および内周縁９ａ２を有しており、第２遮光層９ｂは、第１遮光層９ａの外周縁９ａ１および内周縁９ａ２よりもＬだけ内側に位置している。なお、図６（ｂ）は、透明部材１の裏面側を示すもので、図６（ｂ）における一点鎖線は表示領域１２ａを示している。
【００４５】
このような図６の形態では、第２遮光層９ｂの塗布プロセスでばらつきが生じても、第１遮光層９ａよりも外部から視認されやすい第２遮光層９ｂの縁が、第１遮光層９ａからはみ出すことがないため、外観品位を損ねない表示装置を作製することができる。
【００４６】
図７は、表示装置のさらに他の実施形態を示すもので、この形態では、表示パネル１２は、赤外線通過窓９ｂ１を通過する赤外線を遮らない位置に配置されている。
【００４７】
すなわち、２個の赤外線発光素子６ａとこれらの赤外線発光素子６ａから外部への赤外線放射方向のなす角度、および赤外線受光素子６ｂとこの赤外線受光素子６ｂへの赤外線受光方向のなす角度内に、表示パネル１２が位置していない。これにより、赤外線が表示パネル１２で遮られることがなく、赤外線発光素子６ａおよび赤外線受光素子６ｂにより、液晶表示パネル２の表示面２ａに近接した人の手等の被検知体９を、良好に検知することができる。
【００４８】
なお、表示装置は、上記実施形態に限定されるものではなく、適宜の設計的な変更、改良を含んでいてもよい。
【００４９】
また、表示装置は液晶表示装置（ＬＣＤ）に限られるものではなく、有機ＥＬ（Electro  Luminescence）装置、無機ＥＬ装置、ＦＥＤ（Field  Emitting  Display）、ＳＥＤ
（Surface-conduction  Electron-emitter  Display）、ＧＬＶ（Grating  Light  Valve）装置、ＰＤＰ（Plasma  Display）装置、電子ペーパーディスプレイ装置、ＤＭＤ（Digital  micro  Mirror  Device）、圧電セラミックディスプレイなどの表示装置であって
もよい。
【００５０】
表示装置は各種の電子機器に適用できる。その電子機器としては、自動車経路誘導システム（カーナビゲーションシステム）、船舶経路誘導システム、航空機経路誘導システム、スマートフォン端末、携帯電話、タブレット端末、パーソナルデジタルアシスタント（ＰＤＡ）、ビデオカメラ、デジタルスチルカメラ、電子手帳、電子書籍、電子辞書、パーソナルコンピュータ、複写機、ゲーム機器の端末装置、テレビジョン、商品表示タグ、価格表示タグ、産業用のプログラマブル表示装置、カーオーディオ、デジタルオーディオプレイヤー、ファクシミリ、プリンター、現金自動預け入れ払い機（ＡＴＭ）、自動販売機、ヘッドアップディスプレイ、デジタル表示式腕時計などがある。
【００５１】
なお、上記形態では、表示パネルの両端に赤外線検知センサを設けたが、少なくとも一方の端に設けられていれば良い。
【００５２】
また、第１遮光層９ａおよび第２遮光層９ｂを透明部材１の裏面に設けた形態について説明したが、透明部材１の裏面であれば、透明部材１と離れて設けても良い。
【００５３】
さらに、第１遮光層９ａ、第２遮光層９ｂ以外の第３遮光層を設けても良いことは勿論である。
【００５４】
さらにまた、透明部材１の外周部に環状の第１遮光層９ａを設け、この第１遮光層９ａに環状の第２遮光層９ｂを設けた形態について説明したが、第２遮光層９ｂを透明部材１の外周部に環状に設け、第２遮光層９ｂの赤外線通過窓９ｂ１およびその近傍にのみ、第１遮光層９ａを介在させても良い。
【符号の説明】
【００５５】
１  透明部材
２、１２  液晶表示パネル
２ａ、１２ａ  表示面
３  枠体
４  バックライト
６  赤外線検知センサ
６ａ  赤外線発光素子
６ｂ  赤外線受光素子
９  遮光層
９ａ  第１遮光層
９ｂ  第２遮光層
９ｂ１  赤外線通過窓
１１  隔壁
Ｇ  表示領域
【図１】
2017167203.tif 000003
【図２】
2017167203.tif 000004
【図３】
2017167203.tif 000005
【図４】
2017167203.tif 000006
【図５】
2017167203.tif 000007
【図６】
2017167203.tif 000008
【図７】
2017167203.tif 000009